(57)【要約】【課題】  釣り用クッションゴムのクッション体の端子に連結するサルカンに過剰な引っ張り力が加わっても、ウィークポイントとされるクッション体とサルカンの連結部に多発する破損を無くした双方の連結の構造にすること。【解決の手段】  道糸ＡとハリスＢとの間に介在させるポリウレタンエラストマー樹脂のクッション体１で成る釣り用クッションゴムにおいて、これらのクッション体１の端子１ａを、スナップＣのリング体２ａ或いは、サルカン２のリング体２ａに巻装する伸縮性樹脂材の台座３からなる複合体のリング体２２ａ構成での、其れに通し、折り返ししてクッション体の実長部に結び付けてループ体４にし連結した構造にする。【選択図】図１
2008161169.tif 000002
【特許請求の範囲】
【請求項１】
道糸（Ａ）とハリス（Ｂ）との間に介在させるポリウレタンエラストマー樹脂のクッション体（１）で成る釣り用クッションゴムにおいて、これらのクッション体（１）の端子（１ａ）はスナップ（Ｃ）のリング体（２ａ）或いは、サルカン（２）のリング体（２ａ）に巻装する伸縮性樹脂材の台座（３）からなる複合体のリング体（２２ａ）に通し、折り返しで実長部に結び付けたループ体（４）で連結したことを特徴とする釣り用クッションゴム。
【請求項２】
前記するクッション体（１）の端子（１ａ）を、掛け穴（５ａ）付きのハンガー部（５）とクッション受け部（６）の着脱自在での結合体で、該クッション受け部（６）の中空部に設けた伸縮樹脂材で成る台座（３）の中心穴（３ａ）に貫通させた端子（１ａ）を抜け止め用に、いぼ結びにして連結し、これらをサルカン（２）のリング体（２ａ）に接続でなるハンガー部（５）と着脱自在にしたことを特徴とする請求項１記載の釣り用クッションゴム。
【請求項３】
前記する掛け穴（５ａ）なしでの、ハンガー部（５）の頂部にリング用穴（６ｂ）を開口し、これらに回動自在で成るリング体（２０ａ）を設けることでサルカン機能を付加したことを特徴とする請求項２記載の釣り用クッションゴム。
【請求項４】
前記するクッション受け部（６）の中空部に設けた伸縮性樹脂材でなる台座（３）を排除し、クッション体（１）の端子（１ａ）部に伸縮性樹脂材でなるチュウブ体（７）を差し込み一体化し、これらの２層で成る端子（１１ａ）をクッション受け部（６）の側面に開口する穴（６ａ）に貫通させ、抜け止め用いぼ結びにしたことを特徴とする請求項２または３項記載の釣り用クッションゴム。
【発明の詳細な説明】
【技術分野】
【０００１】  この発明は、釣り用クッションゴムに関し、詳しくは道糸側とハリス側間に接続し、魚の当たりでの引きや魚が釣れた際の衝撃を緩和し、ハリスの切断や魚の口切れの防止に使われる釣り用クッションゴムの改良に関する。
【背景技術】
【０００２】  この種の従来の技術として、一般的に知られる釣り用クッションゴムは、ポリウレタンエラストマー樹脂を素材とするムクの線材をクッション体とし、これらの線径や長さは釣りの対象となる魚の種類、大きさに応じて適宜選択されるものである為に、様様な仕様で加工されるが、例えば、線径１，０〜６，０ｍｍ、長さは１５０〜２０００ｍｍ程度で、これらのクッション体の両端は、サルカン（金属製撚り戻し）のリング体に通されてループ状に丸め、或いはサルカンのリング体に連結して使うスナップのリング体に通されループ状に丸められた先端を熱溶着で接着された釣り用クッションゴムが広く知られている。【０００３】  そして、両端のサルカンは夫々道糸側と釣り針の吊るされたハリス側の間に接続されて双方間で適切な伸縮性を有しクッション効果を発揮し、魚が釣り針にかかった際の引きによろ魚の口切れや、釣り上げ時の魚の急激な引っ張りでの糸切れを有効に防止している。【０００４】  これらの釣り用クッションゴムの釣り竿仕掛けでの対象とする主な釣りは、深海に生息する大物魚を釣る場合の寄せエサを詰め込んで攻めるカゴ釣りや、船で釣る寄せエサを詰め込む錘と一体化する容器からなるビシ釣りにつかわれるが、例えば水深５０ｍ〜６０ｍに生息するヒラマサ、イサキ釣り等に使うサオの仕掛けの釣り用クッションゴムは、体重３０ｋｇ，体長２ｍを超える、これらの大物には、クッション体は２〜３ｍｍ太さで３０ｃｍ長さで対応し、更に大物では、深海４００〜５００ｍに生息するアコウダイとなるとクッション体の太さは５ｍｍと言った具合に、強靭な釣り用クッションゴムを仕掛けとして使われ、釣果を上げてる。
【発明の開示】
【発明が解決しようとする課題】
【０００５】  しかしながら、上記する従来技術の場合はクッション体の端部にサルカンを接続するのにサルカンのリング体にクッション体の先端を通して折り返しループ状に丸められて先端をクッション体の実長部に重ね合わせ熱溶着するのに、溶着温度はクッション体の太さに応じて２００〜４００℃に加熱温度に適宜調整されて押し圧を付加し接着される為、材料の組成が崩れてしまい、弾性を失い脆くなり、魚の過激な引っ張りで、これらのループ状溶着近部に切断が集中して発生する事で本来のポリウレタンエラストマの引っ張り切断強度を損なわない構成によるクッション体とサルカンとの接続が強く要望されていた。即ちクッション体の実長部間に切断が発生する事になれば、クッション体の弾性体固有の引っ張り切断強度が発揮出来、破損の少ない強靭な釣り用クッションゴムが具現出来る事を狙いとするものである。【０００６】  又、溶着温度加減や押し圧加減によっては接着部近辺に及んで伸び率、引っ張り強度、硬度、反発弾性、接着強度不足等を誘発し、クッション体の持つ弾性体としての諸特性が低下し数回の魚の引っ張りに耐え切れず接着部が剥がれたり亀裂が入るなどの品質にムラが出る等で頻繁に新品との交換を強いられる等の課題がある。
【発明を解決する為の手段】
【０００７】  この発明はかかる課題を解決する為に、請求項１での発明は、図１、図２で述べる様に道糸ＡトハリスＢの間に介在させるポリウレタンエラストマー樹脂のクッション体１で成る釣り用クッションゴムにおいて、これらのクッション体１の端子１ａは、スナップＣのリング体２ａ（図１）或いはサルカン２のリング体２ａ（図２）に巻装する伸縮性樹脂材の台座３とで複合体で成るリング体２２ａにし、これらに端子１ａを通して折り返して実長部に結び込んだループ体４にし、熱溶着を不用とする連結にした構成とする。
【０００８】  また請求項２での発明は、図３で述べる様にクッション体１の端子１ａを、掛け穴５ａ付きハンガー部５と底に開口する穴６ａ付きクッション受け部６の着脱自在分割結合体でのカプセル状で、其のクッション受け６の中空部に設けた伸縮性樹脂材で成る台座３の中心穴３ａに貫通させた端子１ａを抜け止め用と成るいぼ結び（他の結びでも可）で連結し、ハンガー部５は、頂部に開口する掛け穴５ａにサルカン２のリング体２ａを連結した構成とする。
【０００９】  そして又請求項３での発明は、図４で述べる様に前記する掛け穴５ａなしでのハンガー部５の頂部に金属性のリング体２０ａを回動自在に係合一体化し、サルカン機能を付加した構成とする。
【００１０】  次ぎに又請求項４での発明は、図５で述べる様に前記するクッション受け６の中空部に設けた伸縮性樹脂材でなる台座３を排除し、クッション体１の端子１ａ部に伸縮性樹脂材で成るチュウブ体７を差し込み一体化し、クッション受け６の側面に開口する穴６ａに、チュウブ体７に差し込まれたクッション体１の端子１１ａのそれらを貫通させて、抜け止め用いぼ結びによって双方を連結する構成とする。
【発明の効果】
【００１１】  本発明は上述の通り構成作用するので次ぎの優れた効果を奏する。
請求項１では、クッション体をスナップ或いはサルカンに連結するのに、クッション体とリング体は熱溶着連結から結び連結に改良する事で台座と複合するリング体にかかるループ体の引っ張り集中荷重は台座の持つクッション作用とあいまつて結び目にかかる荷重が分散し結び目が抜けたり、ループ体部が破損するする事のない、クッション体固有の伸び率、引っ張り強度、硬度、反発弾性を保持出来る最強の釣り用クッションゴムを提供する事が出来る。
【００１２】  次ぎに、請求項２では、クッション体の端子をリング体構成にする事なく、クッション受け部の中空内に結び目を作り、台座を介し結び目を配置する事で外周に結び目が露出する事の無い且つ、結び目が抜けたり、リング体に破損のない最強の釣り用クッションゴムを提供する事が出来る。
【００１３】  又請求項３では前記するクッション受け部とハンガー部とで成るカプセル状のハンガー部には回転自在で成るリング体を一体化る事で、個別で成るサルカンを必要としないサルカン付きの釣り用クッションゴムを提供することが出来る。
【００１４】  又請求項４では前記する台座なしで、クッション体の端子部に伸縮性樹脂材で成るチュウブ体との複合でのいぼ結びの為クッション体がチュウブ体から抜けたり、結び目が解けたりする事なく、最強の釣り用クッションゴムを提供することが出来る。このように、リング体にクッション体を結ぶだけの作業で釣り用クッションゴムが出来る事で、楽に様様な太さのクッション体をボービンに巻き込んで手元に調達し、様様なクッション体を使い、長さを任意にカットし、手軽にメンテナンスの出来る経済的な釣り用クッションゴムを提供出来る。
【発明を実施するための最良の形態】
【００１５】以下図示の実施例に基づいて本発明を更に詳細に説明する。即ち図１は本発明での第一実施例に基づく要部での斜視図で、釣り用クッションゴムは、釣り竿の仕掛けで道糸Ａと釣り針を吊るすハリスＢとの間に介在し接続され、丸く細長い熱可塑性ポリウレタンエラストマー樹脂での押出成形機で成形され、釣り上げる目的の魚によって様様な太さと長さに切断加工されたクッション体１の端子１ａは、夫々の間に接続して使われる為に端子１ａにサルカン２のリング体２ａに接続するのに、取り外しの出来るスナップＣ等を使う場合では、其のリング体２ａに接続することになり、該リング体２ａはバネ性鋼線で、これらにクッション体１が接続される部分に、伸縮性樹脂材でなる台座３が差し込まれ巻装され複合体のリング体２２ａにし、これらに端子１ａを絡ませクッション体１の実長部にループ体４形態で結ばれる事でスナップＣのリング体２２ａに接続される。【００１６】  又図２は同じく第一実施例に基づく他の要部での斜視図で、サルカン２のリング体２ａは鋼線で其の一部に伸縮性樹脂材でなる台座３が差し込まれ巻装された複合体のリング体２２ａで成り、該台座３にクッション体１の端子１ａを絡ませ実長部にループ体４形態で結ばれてサルカン２と連結されるが、これらのサルカン２の片方のリング体２ａは夫々道糸Ａ或いはハリスＢが結ばれて、当該釣り用クッションゴムは、釣り竿に仕掛ける道糸ＡとハリスＢとの間に介在されるのが一般的とされるが、必ずしも端子１ａの構成するループ体４はサルカン２やスナップＣに接続するとは限らず、他の仕掛け部材が接続される等も考えられる。【００１７】  このように、サルカン２とクッション体１との連結はクッション体１の端子１ａを結んで連結する事で、端子１ａ部に熱をかけずに済みクッション体１は固有の物性を損なう事無く強靭な釣り用クッションゴムを具現化しているが、伸縮性線条体の結びは硬く結んだつもりでも伸び縮みの為、繰り返される魚の引きや動きで緩んだり、強度を落とす事のない、釣りでの一般的なスプールを結ぶ結節方法が良いが、決まっているわけでなく、２重外掛け結び（図示せず）等で結び目に強度を持たせ大物魚の仕掛けの選択も可能である。又本発明ではリング体２ａは台座３を使っての複合体のリング体２２ａでの構成で、結び目やループ体４に付加する引っ張り荷重はそれらが接合する台座３のクッションによつて付加が吸収分散作用で軽減する構成のため結節部やループ体４近部のトラブルは完璧に解決され、リング体２ａの鋼線に直に絡ませての結節では得られない効果が得られる。【００１８】  次ぎに図３は第二実施例の要部での断面図で、合成樹脂成形品でのカプセル体状でなる掛け穴５ａ付きのハンガー部５とクッション受け部６の２分割での双方が取り外し自在での結合体構成で、双方は、ネジ噛み合いでの結合による取り外しを自在にしている。クッション受け部６は中空で、片面はネジが切られ開口し他方の片面は伸縮樹脂材で成る台座３が中空部に閉じ込められ固定される為の穴６ａが開口し、其れに台座３が差し込まれ、これらの台座３の中央部にはクッション体１の端子１ａが程よく貫通する中心穴３ａが開口し、端子１ａが差し込まれて台座３面上に、いぼ結びの結節によってクッション体１とクッション受け部６とが接続され、伸縮自在で成る台座３の側面に乗せられたいぼ結びでの結節はクッション体１の強烈な引っ張りの付加を台座３で軽減され結節がロックされ、解けたり切断するなどのトラブルを解決している。【００１９】  そしてこれらのクッション受け部６のネジ加工でなる片面は、サルカン２のリング体２ａに掛け穴５ａが通されて吊るされたハンガー部５の側面に加工されたネジと噛み合って封じられカプセル体状に構成することで、クッション体１のメンテナンスの結節はハンガー部５とクッション受け部６の開閉に依って容易に行う構成である。【００２０】  次ぎに、図４は第三実施例の要部での断面図で、前記するハンガー部５の頂部にリング体２０ａが係合し回動自在で成るサルカン機能を付加し、鋼線からなる該リング体２０ａには、道糸Ａ或いはハリスＢが接続される事で、個別にサルカン２を調達する事無く経済的に釣り用クッションゴムの仕掛けが出来る構成とする。【００２１】  次ぎに又、図５は第四実施例の断面図で、前記するクッション受け部６の中空部に設けた伸縮性樹脂材で成る台座３を排除し、クッション体１の端子１ａ部に伸縮性樹脂材でなるチュウブ体７を差し込み２層一体化で成る端子１１ａの構成にし、クッション受け部６の側面に開口する穴６ａに程ほどの勘合で差し込み抜け止め用いぼ結びにし、これらのクッション体１をクッション受け部６に接続し、ハンガー部５双方のネジ係合での開閉でクッション体１のメンテナンスは手軽に端子１１ａを結ぶだけの作業で釣り用クッションゴムを調達出来る構成にする。該結節は必ずしもいぼ結びでなくとも良く、２層一体化の端子１１ａは双方が弾発力を受けながら結ばれ、解けや切断のない構成を具現化する事が出来る。
【図面の簡単な説明】
【００２２】
【図１】  本発明に係わる第一実施例での要部を示しての斜視図である
【図２】  本発明に係わる第一実施例の他の要部を示しての斜視図である
【図３】  本発明に係わる第二実施例での要部を示す断面図である
【図４】  本発明に係わる第三実施例での要部を示す断面図である
【図５】  本発明に係わる第四実施例での要部を示す断面図である
【符合の説明】
Ａ            道糸
Ｂ            ハリス
Ｃ            スナップ
１            クッシヨン体
１ａ、１１ａ  端子
２            サルカン
２ａ，２２ａ  リング体
３            台座
３ａ          中心穴
４            ループ体
５            ハンガー部
５ａ          掛け穴
６            クッション受け部
６ａ          穴
７            チュウブ体
【図１】
2008161169.tif 000003
【図２】
2008161169.tif 000004
【図３】
2008161169.tif 000005
【図４】
2008161169.tif 000006
【図５】
2008161169.tif 000007